(57)【要約】【課題】全ての履歴画像への参照を可能としつつ、特定の情報については参照者の権限に応じて参照を制限可能な履歴画像管理プログラム、管理装置、指示装置、および処理装置を提供する。【解決手段】サーバ４の記憶部４１には、画像処理指示の実行記録としての履歴画像４１２が格納されている。ユーザが、クライアントＰＣ５からユーザＩＤと履歴画像ＩＤを入力して履歴画像の参照をサーバ４に対して要求すると、マスク処理手段４０３は、ユーザＩＤが管理者ＩＤリストに含まれているか否かを判断し、含まれている場合は記憶部４１に記憶されている履歴画像をクライアントＰＣ５に送信し、ユーザＩＤが管理者ＩＤリストに含まれていない場合は、履歴画像の参照制限領域にマスク処理を施した制限付き履歴画像を作成し、クライアントＰＣ５に送信する。【選択図】図１
2008124721.tif 000002
【特許請求の範囲】
【請求項１】
画像処理指示の実行記録としての履歴画像を記憶部に格納する格納ステップと、
前記履歴画像のうち所定の領域の参照を制限した制限付き履歴画像を作成する作成ステップと、
前記履歴画像の参照者の権限に応じて前記履歴画像または前記制限付き履歴画像を送信する送信ステップとをコンピュータに実行させるための履歴画像管理プログラム。
【請求項２】
前記作成ステップは、前記履歴画像の送信要求があったとき、前記参照者の権限に応じて前記制限付き履歴画像を作成することを特徴とする請求項１に記載の履歴画像管理プログラム。
【請求項３】
前記作成ステップは、前記履歴画像の送信要求の有無に拘らず、予め前記制限付き履歴画像を作成して前記記憶部に格納しておくことを特徴とする請求項１に記載の履歴画像管理プログラム。
【請求項４】
前記作成ステップは、ページ毎に設定された前記領域にマスク処理を施して前記制限付き履歴画像を作成することを特徴とする請求項１に記載の履歴画像管理プログラム。
【請求項５】
前記作成ステップは、前記領域について、塗りつぶし、ぼかし、または前記領域内のテキストを消去して前記制限付き履歴画像を作成することを特徴とする請求項１に記載の履歴画像管理プログラム。
【請求項６】
画像データを含む画像処理指示を生成する生成ステップと、
前記画像処理指示の実行記録として前記画像データから履歴画像の作成を指示する指示ステップと、
前記履歴画像のうち第三者による参照を制限する領域を設定する設定ステップと、
前記画像処理指示に、前記履歴画像の作成の指示、および前記領域の設定情報を付随情報として付加して前記画像処理指示を実行する処理装置に送信する送信ステップとをコンピュータに実行させるための履歴画像管理プログラム。
【請求項７】
画像データを含む画像処理指示を生成する生成ステップと、
前記画像処理指示の実行記録として前記画像データから履歴画像を作成する作成ステップと、
前記履歴画像のうち第三者による参照を制限する領域を設定する設定ステップと、
前記履歴画像に、前記領域の設定情報を付随情報として付加して履歴画像を記憶管理する管理装置に送信する送信ステップと前記画像処理指示を前記画像処理指示を実行する処理装置に送信する送信ステップとをコンピュータに実行させるための履歴画像管理プログラム。
【請求項８】
画像データを含む画像処理指示を生成する生成ステップと、
前記画像処理指示を実行する実行ステップと、
前記画像処理指示の実行記録として前記画像データから履歴画像を作成する作成ステップと、
前記履歴画像を記憶部に格納する格納ステップと、
前記履歴画像のうち第三者による参照を制限する領域を設定する設定ステップと、
前記設定ステップにおける前記領域の設定に基づいて、前記履歴画像のうち前記領域の参照を制限した制限付き履歴画像を作成する作成ステップと、
前記履歴画像の参照者の権限に応じて前記履歴画像または前記制限付き履歴画像を送信する送信ステップとをコンピュータに実行させるための履歴画像管理プログラム。
【請求項９】
前記設定ステップにおける前記領域の設定は、前記画像データを画面に表示し、この表示画面上で前記領域を指定することにより行うことを特徴とする請求項６、７、または８に記載の履歴画像管理プログラム。
【請求項１０】
前記設定ステップは、ページ毎に前記領域を設定することを特徴とする請求項６、７、または８に記載の履歴画像管理プログラム。
【請求項１１】
前記設定ステップは、前記領域のマスク処理として、塗りつぶし、ぼかし、または前記領域内のテキストの消去のいずれかの選定を含むことを特徴とする請求項６、７、または８に記載の履歴画像管理プログラム。
【請求項１２】
画像処理指示の実行記録としての履歴画像を記憶する記憶手段と、
前記履歴画像のうち所定の領域の参照を制限した制限付き履歴画像を作成する作成手段と、
前記履歴画像の参照者の権限に応じて前記履歴画像または前記制限付き履歴画像を送信する送信手段とを備えたことを特徴とする管理装置。
【請求項１３】
前記作成手段は、前記履歴画像の送信要求があったとき、前記参照者の権限に応じて前記制限付き履歴画像を作成することを特徴とする請求項１２に記載の管理装置。
【請求項１４】
前記作成手段は、前記履歴画像の送信要求の有無に拘らず、予め前記制限付き履歴画像を作成して前記記憶手段に格納しておくことを特徴とする請求項１２に記載の管理装置。
【請求項１５】
前記作成手段は、ページ毎に設定された前記領域にマスク処理を施して前記制限付き履歴画像を作成することを特徴とする請求項１２に記載の管理装置。
【請求項１６】
前記作成手段は、前記領域に、塗りつぶし、ぼかし、または前記所定の領域内のテキストの消去のいずれかのマスク処理を施すことにより前記制限付き履歴画像を作成することを特徴とする請求項１２に記載の管理装置。
【請求項１７】
画像データを含む画像処理指示を生成する生成手段と、
前記画像処理指示の実行記録として前記画像データから履歴画像の作成を指示する指示手段と、
前記履歴画像のうち第三者による参照を制限する領域を設定する設定手段と、
前記画像処理指示に、前記履歴画像の作成の指示、および前記領域の設定情報を付随情報として付加して処理装置に送信する送信手段とを備えたことを特徴とする指示装置。
【請求項１８】
画像データを含む画像処理指示を生成する生成手段と、
前記画像処理指示の実行記録として前記画像データから履歴画像を作成する作成手段と、
前記履歴画像のうち第三者による参照を制限する領域を設定する設定手段と、
前記画像処理指示に、前記領域の設定情報を付随情報として付加して前記画像処理指示を実行する処理装置に送信する送信手段とを備えたことを特徴とする指示装置。
【請求項１９】
前記設定手段における前記領域の設定は、前記画像データを画面に表示し、この表示画面上で前記領域を指定することにより行うことを特徴とする請求項１７または１８に記載の指示装置。
【請求項２０】
前記設定手段は、ページ毎に前記領域を設定することを特徴とする請求項１７または１８に記載の指示装置。
【請求項２１】
前記設定手段は、前記領域のマスク処理として、塗りつぶし、ぼかし、または前記領域内のテキストの消去のいずれかを選定することを特徴とする請求項１７または１８に記載の指示装置。
【請求項２２】
画像データを含む画像処理指示を生成する生成手段と、
前記画像処理指示を実行する実行手段と、
前記画像処理指示の実行記録として前記画像データから履歴画像を作成する履歴画像作成手段と、
前記履歴画像を記憶する記憶手段と、
前記履歴画像のうち第三者による参照を制限する領域を設定する設定手段と、
前記設定手段による前記領域の設定に基づいて、前記履歴画像のうち前記領域の参照を制限した制限付き履歴画像を作成する制限付き履歴画像作成手段と、
前記履歴画像の参照者の権限に応じて前記履歴画像または前記制限付き履歴画像を送信する送信手段とを備えたことを特徴とする処理装置。
【請求項２３】
前記設定手段における前記領域の設定は、前記画像データを画面に表示し、この表示画面上で前記領域を指定することにより行うことを特徴とする請求項２２に記載の処理装置。
【請求項２４】
前記設定手段は、ページ毎に前記領域を設定することを特徴とする請求項２２に記載の処理装置。
【請求項２５】
前記設定手段は、前記領域のマスク処理として、塗りつぶし、ぼかし、または前記領域内のテキストの消去のいずれかを選定することを特徴とする請求項２２に記載の処理装置。
【発明の詳細な説明】
【技術分野】
【０００１】
本発明は、コピー、プリント、スキャン、ファックス等のジョブ（画像処理指示）で扱った画像データの履歴画像を管理する履歴画像管理プログラム、管理装置、指示装置、および処理装置に関する。
【背景技術】
【０００２】
プリンタ等の出力装置から実際に紙等の記録媒体に印字出力された画像イメージを、これに付随する情報とともに履歴画像として保持し、後々参照可能とするプリンタシステムが知られている（例えば、特許文献１参照。）。
【０００３】
このプリンタシステムは、クライアントとプリンタとをネットワークを介して接続したものである。クライアントは、ユーザによって指定された、低解像度ビットマップデータを公開にするか、非公開にするかの情報を付随データとして、プリントデータファイルに付加して、プリンタに送信する。プリンタは、クライアントから送信されたプリントデータファイル内のプリントデータを高解像度ビットマップデータに展開し、高解像度ビットマップデータを用紙にプリントし、ビットマップデータを変換して低解像度画像データを生成し、低解像度画像データをプリントアウト履歴データとして付随データとともに記憶装置に格納する。低解像度画像データの表示要求があると、付随データに低解像度画像データの非公開が設定されていれば、低解像度画像データを表示せず、公開が設定されていれば、低解像度画像データを表示する。これにより、プリントアウト履歴データを少ない容量で格納することができる。
【特許文献１】特開平１０−１８７３６４号公報
【発明の開示】
【発明が解決しようとする課題】
【０００４】
本発明の目的は、全ての履歴画像への参照を可能としつつ、特定の情報については参照者の権限に応じて参照を制限可能な履歴画像管理プログラム、管理装置、指示装置、および処理装置を提供することにある。
【課題を解決するための手段】
【０００５】
本発明の実施の態様は、上記目的を達成するため、以下の履歴画像管理プログラム、管理装置、指示装置、および処理装置を提供する。
【０００６】
［１］画像処理指示の実行記録としての履歴画像を記憶部に格納する格納ステップと、前記履歴画像のうち所定の領域の参照を制限した制限付き履歴画像を作成する作成ステップと、前記履歴画像の参照者の権限に応じて前記履歴画像または前記制限付き履歴画像を送信する送信ステップとをコンピュータに実行させるための履歴画像管理プログラム。
【０００７】
［２］前記作成ステップは、前記履歴画像の送信要求があったとき、前記参照者の権限に応じて前記制限付き履歴画像を作成することを特徴とする前記［１］に記載の履歴画像管理プログラム。
【０００８】
［３］前記作成ステップは、前記履歴画像の送信要求の有無に拘らず、予め前記制限付き履歴画像を作成して前記記憶部に格納しておくことを特徴とする前記［１］に記載の履歴画像管理プログラム。
【０００９】
［４］前記作成ステップは、ページ毎に設定された前記領域にマスク処理を施して前記制限付き履歴画像を作成することを特徴とする前記［１］に記載の履歴画像管理プログラム。
【００１０】
［５］前記作成ステップは、前記領域について、塗りつぶし、ぼかし、または前記領域内のテキストを消去して前記制限付き履歴画像を作成することを特徴とする前記［１］に記載の履歴画像管理プログラム。
【００１１】
［６］画像データを含む画像処理指示を生成する生成ステップと、前記画像処理指示の実行記録として前記画像データから履歴画像の作成を指示する指示ステップと、前記履歴画像のうち第三者による参照を制限する領域を設定する設定ステップと、前記画像処理指示に、前記履歴画像の作成の指示、および前記領域の設定情報を付随情報として付加して前記画像処理指示を実行する処理装置に送信する送信ステップとをコンピュータに実行させるための履歴画像管理プログラム。
【００１２】
［７］画像データを含む画像処理指示を生成する生成ステップと、前記画像処理指示の実行記録として前記画像データから履歴画像を作成する作成ステップと、前記履歴画像のうち第三者による参照を制限する領域を設定する設定ステップと、前記履歴画像に、前記領域の設定情報を付随情報として付加して履歴画像を記憶管理する管理装置に送信する送信ステップと前記画像処理指示を前記画像処理指示を実行する処理装置に送信する送信ステップとをコンピュータに実行させるための履歴画像管理プログラム。
【００１３】
［８］画像データを含む画像処理指示を生成する生成ステップと、前記画像処理指示を実行する実行ステップと、前記画像処理指示の実行記録として前記画像データから履歴画像を作成する作成ステップと、前記履歴画像を記憶部に格納する格納ステップと、前記履歴画像のうち第三者による参照を制限する領域を設定する設定ステップと、前記設定ステップにおける前記領域の設定に基づいて、前記履歴画像のうち前記領域の参照を制限した制限付き履歴画像を作成する作成ステップと、前記履歴画像の参照者の権限に応じて前記履歴画像または前記制限付き履歴画像を送信する送信ステップとをコンピュータに実行させるための履歴画像管理プログラム。
【００１４】
［９］前記設定ステップにおける前記領域の設定は、前記画像データを画面に表示し、この表示画面上で前記領域を指定することにより行うことを特徴とする前記［６］、［７］、または［８］に記載の履歴画像管理プログラム。
【００１５】
［１０］前記設定ステップは、ページ毎に前記領域を設定することを特徴とする前記［６］、［７］、または［８］に記載の履歴画像管理プログラム。
【００１６】
［１１］前記設定ステップは、前記領域のマスク処理として、塗りつぶし、ぼかし、または前記領域内のテキストの消去のいずれかの選定を含むことを特徴とする前記［６］、［７］、または［８］に記載の履歴画像管理プログラム。
【００１７】
［１２］画像処理指示の実行記録としての履歴画像を記憶する記憶手段と、前記履歴画像のうち所定の領域の参照を制限した制限付き履歴画像を作成する作成手段と、前記履歴画像の参照者の権限に応じて前記履歴画像または前記制限付き履歴画像を送信する送信手段とを備えたことを特徴とする管理装置。
【００１８】
［１３］前記作成手段は、前記履歴画像の送信要求があったとき、前記参照者の権限に応じて前記制限付き履歴画像を作成することを特徴とする前記［１２］に記載の管理装置。
【００１９】
［１４］前記作成手段は、前記履歴画像の送信要求の有無に拘らず、予め前記制限付き履歴画像を作成して前記記憶手段に格納しておくことを特徴とする前記［１２］に記載の管理装置。
【００２０】
［１５］前記作成手段は、ページ毎に設定された前記領域にマスク処理を施して前記制限付き履歴画像を作成することを特徴とする前記［１２］に記載の管理装置。
【００２１】
［１６］前記作成手段は、前記領域に、塗りつぶし、ぼかし、または前記所定の領域内のテキストの消去のいずれかのマスク処理を施すことにより前記制限付き履歴画像を作成することを特徴とする前記［１２］に記載の管理装置。
【００２２】
［１７］画像データを含む画像処理指示を生成する生成手段と、前記画像処理指示の実行記録として前記画像データから履歴画像の作成を指示する指示手段と、前記履歴画像のうち第三者による参照を制限する領域を設定する設定手段と、前記画像処理指示に、前記履歴画像の作成の指示、および前記領域の設定情報を付随情報として付加して処理装置に送信する送信手段とを備えたことを特徴とする指示装置。
【００２３】
［１８］画像データを含む画像処理指示を生成する生成手段と、前記画像処理指示の実行記録として前記画像データから履歴画像を作成する作成手段と、前記履歴画像のうち第三者による参照を制限する領域を設定する設定手段と、前記画像処理指示に、前記領域の設定情報を付随情報として付加して前記画像処理指示を実行する処理装置に送信する送信手段とを備えたことを特徴とする指示装置。
【００２４】
［１９］前記設定手段における前記領域の設定は、前記画像データを画面に表示し、この表示画面上で前記領域を指定することにより行うことを特徴とする前記［１７］または［１８］に記載の指示装置。
【００２５】
［２０］前記設定手段は、ページ毎に前記領域を設定することを特徴とする前記［１７］または［１８］に記載の指示装置。
【００２６】
［２１］前記設定手段は、前記領域のマスク処理として、塗りつぶし、ぼかし、または前記領域内のテキストの消去のいずれかを選定することを特徴とする前記［１７］または［１８］に記載の指示装置。
【００２７】
［２２］画像データを含む画像処理指示を生成する生成手段と、前記画像処理指示を実行する実行手段と、前記画像処理指示の実行記録として前記画像データから履歴画像を作成する履歴画像作成手段と、前記履歴画像を記憶する記憶手段と、前記履歴画像のうち第三者による参照を制限する領域を設定する設定手段と、前記設定手段による前記領域の設定に基づいて、前記履歴画像のうち前記領域の参照を制限した制限付き履歴画像を作成する制限付き履歴画像作成手段と、前記履歴画像の参照者の権限に応じて前記履歴画像または前記制限付き履歴画像を送信する送信手段とを備えたことを特徴とする処理装置。
【００２８】
［２３］前記設定手段における前記領域の設定は、前記画像データを画面に表示し、この表示画面上で前記領域を指定することにより行うことを特徴とする前記［２２］に記載の処理装置。
【００２９】
［２４］前記設定手段は、ページ毎に前記領域を設定することを特徴とする前記［２２］に記載の処理装置。
【００３０】
［２５］前記設定手段は、前記領域のマスク処理として、塗りつぶし、ぼかし、または前記領域内のテキストの消去のいずれかを選定することを特徴とする前記［２２］に記載の処理装置。
【発明の効果】
【００３１】
請求項１に係る履歴画像管理プログラムによれば、全ての履歴画像への参照を可能としつつ、特定の情報については参照者の権限に応じて参照の制限が可能となる。
【００３２】
請求項２に係る履歴画像管理プログラムによれば、予め制限付き履歴画像を作成しておく場合と比較して記憶容量の増大を防ぐことができる。
請求項３に係る履歴画像管理プログラムによれば、制限付き履歴画像の送信完了までの時間を短縮することができる。
請求項４に係る履歴画像管理プログラムによれば、必要なページにのみマスク処理を施すことができる。
請求項５に係る履歴画像管理プログラムによれば、用途に応じたマスク処理を施すことができる。
【００３３】
請求項６に係る履歴画像管理プログラムによれば、全ての履歴画像への参照を可能としつつ、特定の情報については参照者の権限に応じて参照の制限が可能となる。また、当該プログラムを適用した装置が履歴画像の作成機能を持たなくても済む。
【００３４】
請求項７に係る履歴画像管理プログラムによれば、全ての履歴画像への参照を可能としつつ、特定の情報については参照者の権限に応じて参照の制限が可能となる。また、処理装置として履歴画像の作成機能を持たない汎用のものを用いることができる。
【００３５】
請求項８に係る履歴画像管理プログラムによれば、全ての履歴画像への参照を可能としつつ、特定の情報については参照者の権限に応じて参照の制限が可能となる。また、当該プログラムを複数の機能を有する複合機に適用することができ、システムの簡素化を図ることができる。
【００３６】
請求項９に係る履歴画像管理プログラムによれば、視覚的に領域を設定することができる。
請求項１０に係る履歴画像管理プログラムによれば、必要なページにのみ領域を設定することができる。
請求項１１に係る履歴画像管理プログラムによれば、領域に対して用途に応じた設定を行うことができる。
【００３７】
請求項１２に係る管理装置によれば、全ての履歴画像への参照を可能としつつ、特定の情報については参照者の権限に応じて参照の制限が可能となる。
【００３８】
請求項１３に係る管理装置によれば、予め制限付き履歴画像を作成しておく場合と比較して記憶容量の増大を防ぐことができる。
請求項１４に係る管理装置によれば、制限付き履歴画像の送信完了までの時間を短縮することができる。
請求項１５に係る管理装置によれば、必要なページにのみマスク処理を施すことができる。
請求項１６に係る管理装置によれば、用途に応じたマスク処理を施すことができる。
【００３９】
請求項１７に係る指示装置によれば、全ての履歴画像への参照を可能としつつ、特定の情報については参照者の権限に応じて参照の制限が可能となる。また、履歴画像の作成機能を持たなくても済む。
【００４０】
請求項１８に係る指示装置によれば、全ての履歴画像への参照を可能としつつ、特定の情報については参照者の権限に応じて参照の制限が可能となる。また、処理装置として履歴画像の作成機能を持たない汎用のものを用いることができる。
【００４１】
請求項１９に係る指示装置によれば、視覚的に領域を設定することができる。
請求項２０に係る指示装置によれば、必要なページにのみ領域を設定することができる。
請求項２１に係る指示装置によれば、領域に対して用途に応じた設定を行うことができる。
【００４２】
請求項２２に係る処理装置によれば、全ての履歴画像への参照を可能としつつ、特定の情報については参照者の権限に応じて参照の制限が可能となる。また、当該処理装置を複数の機能を有する複合機に適用することができ、システムの簡素化を図ることができる。
【００４３】
請求項２３に係る処理装置によれば、視覚的に領域を設定することができる。
請求項２４に係る処理装置によれば、必要なページに領域を設定することができる。
請求項２５に係る処理装置によれば、領域に対して用途に応じた設定を行うことができる。
【発明を実施するための最良の形態】
【００４４】
［第１の実施の形態］
図１は、本発明の第１の実施の形態に係る画像処理システムを示す。この画像処理システム１は、画像処理指示を生成する指示装置としてのクライアントパーソナルコンピュータ（以下「クライアントＰＣ」という。）２と、画像処理指示を実行するとともに履歴画像を作成する処理装置としてのプリンタ３と、履歴画像を保存、管理する管理装置としてのサーバ４と、サーバ４にアクセスして履歴画像を参照するクライアントＰＣ５と、クライアントＰＣ２，５、プリンタ３、およびサーバ４を接続するＬＡＮ（ローカルエリアネットワーク）、インターネット等のネットワーク６とから構成されている。なお、図１では、クライアントＰＣ２、プリンタ３、およびクライアントＰＣ５は、それぞれ１台を示すが、２台以上でもよい。
【００４５】
「画像処理指示」とは、画像の処理を処理装置に指示することをいい、例えば、画像データに、画像データの処理内容を指示属性として付加して処理装置に指示あるいは送信することが含まれ、コピー、プリント、スキャン、ファックス等の単一のジョブや、複数の単一ジョブが連続または並行して実行されるジョブフロー、さらに画像の編集（合成、加工）等も含まれる。本実施の形態では、ジョブとして印刷ジョブ（プリントジョブ）について説明する。
【００４６】
「履歴画像」は、ジョブの実行記録としてジョブで扱われた画像からジョブの実行前、実行中または実行後に作成されるものである。本実施の形態では、ジョブ実行後に履歴画像を作成する場合について説明する。履歴画像として、例えば、ジョブで扱われた画像の画素数を減らした画像、カラー画像を少ない色数またはグレースケールに変換した画像、複数の画像から選択した１または２以上の画像、またはジョブで扱われた全ての画像等が用いられる。
【００４７】
「処理装置」としては、上記プリンタ３の他に、複合機、複写機、スキャナ、ファクシミリ装置等が含まれる。複合機とは、コピー、プリント、スキャン、ファックス等の複数の機能を有するものをいい、単一のユニットのみならず、各機能に対応した複数のユニットからなるものも含まれる。
【００４８】
（印刷指示用のクライアントＰＣ）
印刷指示用のクライアントＰＣ２は、ＣＰＵ２０と、各種のプログラムやデータを記憶するＨＤＤ等からなる記憶部２１と、キーボード，マウス等を備えた入力部２２と、設定画面等を表示するＬＣＤ(Liquid Crystal Display)等の表示部２３と、ネットワーク６に接続された通信インタフェース（Ｉ／Ｆ）２４とを有する。
【００４９】
記憶部２１には、データファイル用のアプリケーション２１０や、プリンタ３を駆動するとともに、履歴画像を管理するための図４に示すようなプリンタドライバ（履歴画像管理プログラム）２１１等のプログラムが格納されている。履歴画像管理プログラムは、本実施の形態では、その全部がプリンタドライバ２１１に含まれているが、一部が他のアプリケーションに含まれていてもよい。
【００５０】
ＣＰＵ２０は、記憶部２１に記憶されているプリンタドライバ２１１に従って動作することにより、ジョブを生成するジョブ生成手段２００、履歴画像のうち参照制限領域を設定する参照制限領域設定手段２０１、ジョブに付随情報を付加してジョブファイルを生成する付随情報付加手段２０２、ジョブファイルを送信するジョブ送信手段２０３等として機能する。
【００５１】
参照制限領域設定手段２０１は、ジョブ生成手段２００によって生成されたジョブをプリンタ３で解釈したイメージと同一のプレビューイメージを表示部２３に表示し、プレビューイメージのうち第三者による参照を制限する参照制限領域、およびその領域をマスクする方法を参照制限情報として設定可能となっている。参照制限領域およびマスク方法の詳細については、後述する。
【００５２】
（プリンタ）
プリンタ３は、ＣＰＵ３０と、図４に示すようなプリンタ制御プログラム３１０等のプログラムやデータを記憶するＨＤＤ等の記憶部３１と、印字部３２と、ネットワーク６に接続された通信インタフェース（Ｉ／Ｆ）３３とを有する。
【００５３】
ＣＰＵ３０は、記憶部３１に記憶されたプリンタ制御プログラム３１０に従って動作することにより、ジョブファイルを受信するジョブ受信手段３００、ジョブファイル中のデータから印字出力用イメージを作成する印字出力用イメージ作成手段３０１、印字出力用イメージから履歴画像を作成する履歴画像作成手段３０２、履歴画像ファイルを送信する履歴画像送信手段３０３等として機能する。
【００５４】
印字部３２は、印字出力用イメージ作成手段３０１から出力された印字出力用イメージを紙等の記録媒体に印字するものであり、電子写真方式、インクジェット方式、感熱転写方式等の各種の方式を用いることができる。
【００５５】
（サーバ）
サーバ４は、ＣＰＵ４０と、各種のプログラムやデータを記憶するＨＤＤ等の記憶部４１と、キーボード，マウス等を備えた入力部４２と、ＬＣＤ等の表示部４３と、ネットワーク６に接続された通信インタフェース（Ｉ／Ｆ）４４とを備える。
【００５６】
記憶部４１には、後述する図４に示すようなサーバ制御プログラム（履歴画像管理プログラム）４１０等のプログラムや、管理者ＩＤリスト４１１が格納されており、プリンタ３から送信される履歴画像ファイル４１２が格納される。
【００５７】
ＣＰＵ４０は、記憶部４１に記憶されているサーバ制御プログラム４１０に従って動作することにより、履歴画像を送受信する履歴画像送受信手段４００、履歴画像ファイルに履歴画像ＩＤを付加するＩＤ付加手段４０１、履歴画像ファイルを記憶部４１に格納する履歴画像格納手段４０２、履歴画像のうち参照制限領域にマスク処理を施すマスク処理手段４０３等として機能する。
【００５８】
（参照用のクライアントＰＣ）
参照用のクライアントＰＣ５は、ＣＰＵ５０と、図４に示すようなプログラムやデータを記憶するＨＤＤ等からなる記憶部５１、キーボード，マウス等を備えた入力部５２と、履歴画像等を表示するＬＣＤ等の表示部５３と、ネットワーク６に接続された通信インタフェース（Ｉ／Ｆ）５４とを有する。
【００５９】
（画像処理システムの動作）
次に、本実施の形態に係る画像処理システム１の動作を図１〜図３を参照し、図４のフローチャートに従って説明する。ここでは、印刷ジョブについて説明する。
【００６０】
（１）印刷処理指示
ユーザは、印刷指示用のクライアントＰＣ２の入力部２２を操作して記憶部２１に記憶されているアプリケーション２１０を起動し、印刷メニューを表示部２３に表示する。ユーザは、印刷メニューに対して印刷指示を行う。ジョブ生成手段２００は、アプリケーション２１０から受け取ったデータファイルをプリンタ３が解釈可能な言語、例えば、ページ記述言語（ＰＤＬ：Printer Description Language）に変換し、これにＮｉｎ１（Ｎ個の画像を１枚の用紙に印刷するモード）等の指示属性を付加してジョブを生成する（Ｓ１０）。次に、参照制限領域設定手段２０１は、表示部２３に参照制限領域設定画面を表示する。
【００６１】
図２は、その参照制限領域設定画面を示す。参照制限領域設定画面１００では、プレビューイメージ１１０がページ単位で表示され、プレビューイメージ１１０の上部にはツールバー１２０が配置される。
【００６２】
ツールバー１２０には、塗りつぶしボタン１２１、ぼかしボタン１２２、テキスト削除ボタン１２３等が設けられている。塗りつぶしボタン１２１は、参照制限領域１３０を特定色で塗りつぶすためのものであり、ぼかしボタン１２２は、内容は判別不可能だが、雰囲気は分かるようなぼかし処理を行うためのものであり、テキスト削除ボタン１２３は、参照制限領域１３０内のテキスト情報のみを削除するためのものである。
【００６３】
表示されたプレビューイメージ１１０上で、第三者への開示を望まない部分に対し、マウス等の操作により、左上点１３１と右下点１３２を指定し、ツールバー１２０のボタン１２１，１２２，１２３のうち、例えば、塗りつぶしボタン１２１を選択すると、参照制限領域設定手段２０１は、左上点１３１と右下点１３２を含む矩形領域を参照制限領域１３０とし、この参照制限領域１３０と塗りつぶすマスク方法を参照制限情報として設定する（Ｓ１１）。
【００６４】
なお、参照制限領域１３０の形状は、矩形に限らず、円、楕円、三角等のように任意である。このような領域は、１ページ内で複数箇所設定することも可能で、複数ページで構成される場合、各ページ単位にて設定可能である。
【００６５】
付随情報付加手段２０２は、ジョブに、ジョブに関する指示者（ユーザＩＤ）、ＩＰアドレス、指示日時等の管理情報、および参照制限領域設定手段２０１によって設定された参照制限領域およびマスク方法（参照制限情報）を付随情報として付加したジョブファイルを生成する（Ｓ１２）。
【００６６】
ジョブ送信手段２０３は、ジョブファイルを所定の通信プロトコルに従い、通信Ｉ／Ｆ２４によりネットワーク６を介してプリンタ３に送信する（Ｓ１３）。通信プロトコルとしては、例えば、ＦＴＰ(File Transfer Protocol)、ＨＴＴＰ(Hyper Text Transfer Protocol)等を用いることができる。
【００６７】
（２）ジョブの実行、および履歴画像の作成
プリンタ３のジョブ受信手段３００が、クライアントＰＣ２からのジョブファイルを通信Ｉ／Ｆ３３により受信すると（Ｓ２０）、印字出力用イメージ作成手段３０１は、ジョブ内の描画命令を解釈してビットマップデータ等の印字出力用イメージを作成する（Ｓ２１）。
【００６８】
印字部３２は、印字出力用イメージを記録媒体に印字する（Ｓ２２）。履歴画像作成手段３０２は、印字部３２が印字出力用イメージを記録媒体に印字したことを確認した時点で印字像出力用イメージから履歴画像を作成するとともに、履歴画像とその付随情報からなる履歴画像ファイルを作成する（Ｓ２３）。
【００６９】
履歴画像送信手段３０３は、履歴画像ファイルを所定の通信プロトコルに従い、通信Ｉ／Ｆ３３によりネットワーク６を介してサーバ４に送信する（Ｓ２４）。
【００７０】
（３）履歴画像の保存
サーバ４の履歴画像送受信手段４００が、プリンタ３から送られてきた履歴画像ファイルを通信Ｉ／Ｆ４１により受信すると（Ｓ３０）、ＩＤ付加手段４０１は、履歴画像ファイルに履歴画像ファイルを一意に識別する履歴画像ＩＤを付加する（Ｓ３１）。履歴画像格納手段４０２は、ＩＤ付加手段４０１によって履歴画像ＩＤが付加された履歴画像ファイル４１２を記憶部４１に格納する（Ｓ３２）。
【００７１】
（４）履歴画像の参照
履歴画像の参照者であるユーザが参照用のクライアントＰＣ５の入力部５２を操作してユーザＩＤと履歴画像ＩＤを入力して履歴画像の参照をサーバ４に対して要求すると（Ｓ４０、Ｓ３３）、サーバ４のマスク処理手段４０３は、履歴画像ＩＤに対応する履歴画像ファイル４１２を記憶部４１から読み出す（Ｓ３４）。
【００７２】
マスク処理手段４０３は、ユーザＩＤが管理者ＩＤリストに含まれているか否かを判断し（Ｓ３５）、含まれている場合は（Ｓ３５：Ｙｅｓ）、記憶部４１から読み出した履歴画像ファイル４１２中の履歴画像を通信Ｉ／Ｆ４４によりネットワーク６を介して参照用のクライアントＰＣ５に送信する（Ｓ３６、Ｓ４１）。
【００７３】
マスク処理手段４０３は、ユーザＩＤが管理者ＩＤリストに含まれていない場合は（Ｓ３５：Ｎｏ）、履歴画像ファイル４１２に含まれる参照制限情報に基づいて、履歴画像に設定された参照制限領域にマスク処理を施した制限付き履歴画像を作成する（Ｓ３７）。履歴画像送受信手段４００は、制限付き履歴画像を通信Ｉ／Ｆ４４によりネットワーク６を介して参照用のクライアントＰＣ５に送信する（Ｓ３６、Ｓ４１）。
【００７４】
クライアントＰＣ５は、サーバ４から履歴画像または制限付き履歴画像を受信すると（Ｓ４１）、履歴画像または制限付き履歴画像を表示部５３に表示する（Ｓ４２）。
【００７５】
図３は、制限付き履歴画像の表示画面を示す。参照用のクライアントＰＣ５のユーザがサーバ４に登録されている管理者の場合は、参照制限領域の無い履歴画像が表示されるが、サーバ４に登録されている管理者以外の場合は、図３に示すように、参照制限領域１４１が塗りつぶされた制限付き履歴画像１４０が表示される。
【００７６】
［第２の実施の形態］
図５は、本発明の第２の実施の形態に係る画像処理システムのブロック図である。第１の実施の形態では、履歴画像の作成をプリンタ３側で行ったが、本実施の形態は、印刷指示用のクライアントＰＣ２で行うようにしたものであり、他は第１の実施の形態と同様に構成されている。
【００７７】
（印刷指示用のクライアントＰＣ）
印刷指示用のクライアントＰＣ２は、第１の実施の形態と同様に、ＣＰＵ２０、記憶部２１、入力部２２、表示部２３、および通信Ｉ／Ｆ２４を有する。
【００７８】
ＣＰＵ２０は、記憶部２１に記憶されている後述する図６に示すようなプリンタドライバ（履歴画像管理プログラム）２１１に従って動作することにより、第１の実施の形態のクライアントＰＣ２と同様の、ジョブ生成手段２００、参照制限領域設定手段２０１、付随情報付加手段２０２、ジョブ送信手段２０３等として機能する他、第１の実施の形態のプリンタ３と同様の、履歴画像作成手段２０４、履歴画像送信手段２０５等として機能する。
【００７９】
履歴画像作成手段２０４は、ＰＤＬのデータファイルをビットマップデータ等の印字出力用イメージに変換し、印字出力用イメージから履歴画像を作成するとともに、履歴画像とその付随情報からなる履歴画像ファイルを作成する。
【００８０】
（プリンタ）
プリンタ３は、第１の実施の形態と同様に、ＣＰＵ３０、記憶部３１、印字部３２、通信Ｉ／Ｆ３３を有する。
【００８１】
ＣＰＵ３０は、記憶部３１に記憶されたプリンタ制御プログラム３１０に従って動作することにより、第１の実施の形態と同様に、ジョブ受信手段３００、印字出力用イメージ作成手段３０１等として機能するが、本実施の形態では、履歴画像作成手段および履歴画像送信手段としては機能しない。これにより、プリンタとして汎用のものを使用することが可能となり、プリンタのコストを下げることができる。
【００８２】
（第２の実施の形態の動作）
図６は、第２の実施の形態に係る印刷指示用のクライアントＰＣ２の動作を示すフローチャートである。
【００８３】
第１の実施の形態と同様に、ジョブ生成手段２００は、アプリケーション２１０から受け取ったデータファイルをＰＤＬに変換し、これにユーザによる指示属性を付加してジョブを生成する（Ｓ５０）。参照制限領域設定手段２０１は、ユーザの指定に基づいて参照制限領域を設定する（Ｓ５１）。
【００８４】
付随情報付加手段２０２は、履歴画像に、管理情報、および参照制限領域設定手段２０１によって設定された参照制限領域およびマスク方法（参照制限情報）を付随情報として付加した履歴画像ファイルを生成する（Ｓ５２）。
【００８５】
ジョブ送信手段２０３は、ジョブファイルを所定の通信プロトコルに従い、通信Ｉ／Ｆ２４によりネットワーク６を介してプリンタ３に送信する（Ｓ５３）。
【００８６】
ジョブを送信した後、履歴画像作成手段２０４は、ＰＤＬのデータファイルをビットマップデータ等の印字出力用イメージに変換し、印字出力用イメージから履歴画像を作成する（Ｓ５４）。
【００８７】
履歴画像送信手段２０５は、履歴画像ファイルを所定の通信プロトコルに従い、通信Ｉ／Ｆ２４によりネットワーク６を介してサーバ４に送信する（Ｓ５５）。
【００８８】
（２）ジョブの実行
プリンタ３のジョブ受信手段３００が、クライアントＰＣ２からのジョブファイルを通信Ｉ／Ｆ３３により受信すると、印字出力用イメージ作成手段３０１は、ジョブ内の描画命令を解釈してビットマップデータ等の印字出力用イメージを作成し、印字部３２に出力する。印字部３２は、印字出力用イメージを記録媒体に印字する。
【００８９】
（３）履歴画像の保存
第１の実施の形態と同様に、サーバ４の履歴画像送受信手段４００が、印刷指示用のクライアントＰＣ２から送られてきた履歴画像ファイルを通信Ｉ／Ｆ４１により受信すると、ＩＤ付加手段４０１は、履歴画像ファイルに履歴画像ＩＤを付加し、履歴画像格納手段４０２は、ＩＤ付加手段４０１によって履歴画像ＩＤが付加された履歴画像ファイル４１２を記憶部４１に格納する。
【００９０】
（４）履歴画像の参照
第１の実施の形態と同様に、ユーザが参照用のクライアントＰＣ５の入力部５２を操作してユーザＩＤと履歴画像ＩＤを入力して履歴画像の参照をサーバ４に対して要求すると、サーバ４のマスク処理手段４０３は、履歴画像ＩＤに対応する履歴画像ファイル４１２を記憶部４１から読み出し、ユーザＩＤが管理者ＩＤリストに含まれているか否かを判断し、含まれている場合は、記憶部４１から読み出した履歴画像を通信Ｉ／Ｆ４４によりネットワーク６を介して参照用のクライアントＰＣ５に送信する。
【００９１】
マスク処理手段４０３は、ユーザＩＤが管理者ＩＤリストに含まれていない場合は、マスク処理手段４０３は、履歴画像ファイル４１２に含まれる参照制限情報に基づいて、履歴画像に設定された参照制限領域にマスク処理を施した制限付き履歴画像を作成し、履歴画像送受信手段４００は、制限付き履歴画像を通信Ｉ／Ｆ４４によりネットワーク６を介して参照用のクライアントＰＣ５に送信する。
【００９２】
クライアントＰＣ５は、サーバ４から履歴画像または制限付き履歴画像を受信すると、履履歴画像または制限付き履歴画像を表示部５３に表示する。参照用のクライアントＰＣ５のユーザがサーバ４に登録されている管理者の場合は、参照制限領域の存在しない履歴画像が表示され、サーバ４に登録されている管理者以外の場合は、制限付き履歴画像が表示される。
【００９３】
［第３の実施の形態］
図７は、本発明の第３の実施の形態に係る画像処理システムのブロック図である。第１の実施の形態では、履歴画像の作成をプリンタ側で行い、履歴画像の保存をサーバ側で行ったが、本実施の形態は、それらを複合機で行うようにしたものであり、他は第１の実施の形態と同様に構成されている。
【００９４】
この画像処理システム１は、画像処理指示を生成するとともに、履歴画像の作成および保存を行う複合機７と、参照用のクライアントＰＣ５と、複合機７とクライアントＰＣ５を接続するネットワーク６とから構成されている。なお、図７では、複合機７および参照用のクライアントＰＣ５は、それぞれ１台を示すが、２台以上でもよい。
【００９５】
（複合機）
複合機７は、ＣＰＵ７０と、各種のプログラムやデータを記憶するＨＤＤ等からなる記憶部７１と、キーボード，マウス等を備えた入力部７２と、設定画面等を表示するＬＣＤ等の表示部７３と、ネットワーク６に接続された通信インタフェース（Ｉ／Ｆ）７４と、複合機７が有する機能に対応して設けられ、ジョブを実行する複数のジョブ実行部７５（７５ａ，７５ｂ，…）とを有する。なお、入力部７２および表示部７３は、タッチパネルでもよい。また、ジョブ実行部７５ａは、プリント機能を有するものとする。
【００９６】
ＣＰＵ７０は、記憶部７１に記憶されている後述する図８に示すようなプリンタドライバ（履歴画像管理プログラム）７１１に従って動作することにより、第１の実施の形態のクライアントＰＣ２と同様の、ジョブ生成手段７００、参照制限領域設定手段７０１、付随情報付加手段７０２等として機能し、第１の実施の形態のプリンタ３と同様の印字出力用イメージ作成手段７０３、履歴画像作成手段７０４等として機能し、第１の実施の形態のサーバ４と同様の、ＩＤ付加手段７０５、履歴画像格納手段７０６、マスク処理手段７０７、履歴画像送信手段７０８等として機能する。
【００９７】
（第３の実施の形態の動作）
図８は、第３の実施の形態に係る複合機７の動作を示すフローチャートである。
【００９８】
第１の実施の形態と同様に、ジョブ生成手段７００は、アプリケーション７１０から受け取ったデータファイルをＰＤＬに変換し、これにユーザによる指示属性を付加してジョブを生成する（Ｓ６０）。参照制限領域設定手段７０１は、ユーザの指定に基づいて参照制限領域を設定する（Ｓ６１）。
【００９９】
付随情報付加手段７０２は、ジョブに、管理情報、および参照制限領域設定手段７０１によって設定された参照制限領域およびマスク方法（参照制限情報）を付随情報として付加したジョブファイルを生成する（Ｓ６２）。
【０１００】
印字出力用イメージ作成手段７０３は、ジョブ内の描画命令を解釈してビットマップデータ等の印字出力用イメージを作成し、プリント機能を有するジョブ実行部７５ａに出力する（Ｓ６３）。ジョブ実行部７５は、印字出力用イメージを記録媒体に印字する（Ｓ６４）。
【０１０１】
ジョブが実行された後、履歴画像作成手段７０４は、印字出力用イメージから履歴画像を作成するとともに、履歴画像に付随情報を付加した履歴画像ファイルを作成する（Ｓ６５）。
【０１０２】
ＩＤ付加手段７０５は、履歴画像ファイルに履歴画像ＩＤを付加し（Ｓ６６）、履歴画像格納手段７０６は、ＩＤ付加手段７０５によって履歴画像ＩＤが付加された履歴画像ファイル７１３を記憶部７１に格納する（Ｓ６７）。
【０１０３】
第１の実施の形態と同様に、ユーザが参照用のクライアントＰＣ５の入力部５２を操作してユーザＩＤと履歴画像ＩＤを入力して履歴画像の参照を複合機７に対して要求すると（Ｓ６８：Ｙｅｓ）、複合機７のマスク処理手段７０７は、履歴画像ＩＤに対応する履歴画像ファイル７１３を記憶部７１から読み出し、ユーザＩＤが管理者ＩＤリストに含まれているか否かを判断し（Ｓ６９）、含まれている場合は（Ｓ６９：Ｙｅｓ）、記憶部４１から読み出した履歴画像を通信Ｉ／Ｆ４４によりネットワーク６を介して参照用のクライアントＰＣ５に送信する（Ｓ７０）。
【０１０４】
マスク処理手段７０７は、ユーザＩＤが管理者ＩＤリストに含まれていない場合は（Ｓ６９：Ｎｏ）、履歴画像ファイル７１３に含まれる参照制限情報に基づいて、履歴画像に設定された参照制限領域にマスク処理を施した制限付き履歴画像を作成し、履歴画像送信手段７０８は、制限付き履歴画像を通信Ｉ／Ｆ４４によりネットワーク６を介して参照用のクライアントＰＣ５に送信する（Ｓ７０）。
【０１０５】
クライアントＰＣ５は、サーバ４から履歴画像または制限付き履歴画像を受信すると、履履歴画像または制限付き履歴画像を表示部５３に表示する。参照用のクライアントＰＣ５のユーザがサーバ４に登録されている管理者の場合は、参照制限領域の存在しない履歴画像が表示され、サーバ４に登録されている管理者以外の場合は、制限付き履歴画像が表示される。
【０１０６】
［第４の実施の形態］
図９は、本発明の第４の実施の形態に係るサーバのブロック図である。第１の実施の形態では、履歴画像の参照要求があったとき、ユーザがサーバに登録された管理者でない場合に履歴画像の参照制限領域にマスク処理を施していたが、本実施の形態は、予めマスク処理を施してない履歴画像と、マスク処理を施した履歴画像を用意しておき、履歴画像の参照要求時にいずれかの履歴画像を送信するものである。
【０１０７】
本実施の形態のサーバ４は、第１の実施の形態と同様に、ＣＰＵ４０、記憶部４１、入力部４２、表示部４３、通信Ｉ／Ｆ４４を備える。
【０１０８】
記憶部４１には、サーバ制御プログラム（履歴画像管理プログラム）４１０等のプログラムや、管理者ＩＤリスト４１１が格納されており、プリンタ３から送信される履歴画像ファイルに基づいてマスク無履歴画像４１２ａとマスク有履歴画像４１２ｂを含む履歴画像ファイル４１２が格納される。
【０１０９】
マスク処理手段４０３は、記憶部４１から読み出した履歴画像ファイル４１２中の付随情報に含まれている参照制限情報に基づいてマスク無履歴画像４１２ａに設定された参照制限領域にマスク処理を施したマスク有履歴画像４１２ｂを作成する。
【０１１０】
履歴画像送受信手段４００は、プリンタ３から送信された履歴画像ファイルを通信Ｉ／Ｆ４４により受信するとともに、記憶部４１から読み出したマスク無履歴画像４１２ａ、またはマスク有履歴画像４１２ｂを通信Ｉ／Ｆ４４により送信する。
【０１１１】
（第４の実施の形態の動作）
次に、第４の実施の形態に係るサーバ４の動作について説明する。
【０１１２】
第１の実施の形態と同様に、ユーザが参照用のクライアントＰＣ５の入力部５２を操作してユーザＩＤと履歴画像ＩＤを入力して履歴画像の参照をサーバ４に対して要求すると、サーバ４の履歴画像送受信手段４００は、ユーザＩＤがサーバ４に登録されている管理者ＩＤリストに含まれている場合は、履歴画像ＩＤに対応する履歴画像ファイル４１２を記憶部４１から読み出し、履歴画像ファイル４１２に含まれているマスク無履歴画像４１２ａを通信Ｉ／Ｆ４４によりネットワーク６を介して参照用のクライアントＰＣ５に送信する。
【０１１３】
ユーザＩＤがサーバ４に登録されている管理者ＩＤリストに含まれていない場合は、履歴画像送受信手段４００は、履歴画像ＩＤに対応する履歴画像ファイル４１２を記憶部４１から読み出し、履歴画像ファイル４１２に含まれているマスク有履歴画像４１２ｂを通信Ｉ／Ｆ４４によりネットワーク６を介して参照用のクライアントＰＣ５に送信する。
【０１１４】
参照用のクライアントＰＣ５のＣＰＵ５０は、複合機７から履歴画像を受信すると、履歴画像を表示部５３に表示する。参照用のクライアントＰＣ５のユーザがサーバ４に登録されている管理者の場合は、マスク無履歴画像４１２ａが表示され、サーバ４に登録されている管理者以外の場合は、マスク有履歴画像４１２ｂが表示される。
【０１１５】
［他の実施の形態］
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【０１１６】
各実施の形態で使用されるプログラムは、ＣＤ−ＲＯＭ等の記録媒体から装置内の記憶部に読み込んでもよく、インターネット等のネットワークに接続されているサーバ等から装置内の記憶部にダウンロードしてもよい。
【０１１７】
また、本実施の形態では、ジョブ生成手段、参照制限領域設定手段、付随情報付加手段、印字出力用イメージ作成手段、履歴画像作成手段、ＩＤ付加手段、履歴画像格納手段、マスク処理手段、履歴画像送信手段、ジョブ送信手段を、ＣＰＵとプログラムによって実現したが、それらの一部または全部を特定用途向け集積回路（ＡＳＩＣ：Application Specific IC）等のハードウェアによって実現してもよい。
【図面の簡単な説明】
【０１１８】
【図１】本発明の第１の実施の形態に係る画像処理システムの構成を示すブロック図である。
【図２】本発明の第１の実施の形態に係る印刷指示用のクライアントＰＣに表示される参照制限領域設定画面を示す図である。
【図３】本発明の第１の実施の形態に係る参照用のクライアントＰＣに表示される制限付き履歴画像を示す図である。
【図４】本発明の第１の実施の形態に係る画像処理システムの動作を示すフローチャートである。
【図５】本発明の第２の実施の形態に係る画像処理システムの構成を示すブロック図である。
【図６】本発明の第２の実施の形態に係る画像処理システムの動作を示すフローチャートである。
【図７】本発明の第３の実施の形態に係る画像処理システムの構成を示すブロック図である。
【図８】本発明の第３の実施の形態に係る画像処理システムの動作を示すフローチャートである。
【図９】本発明の第４の実施の形態に係るサーバの構成を示すブロック図である。
【符号の説明】
【０１１９】
１  画像処理システム
２  クライアントＰＣ（印刷指示用）
３  プリンタ
４  サーバ
５  クライアントＰＣ（参照用）
６  ネットワーク
７  複合機
２０  ＣＰＵ
２１  記憶部
２２  入力部
２３  表示部
３０  ＣＰＵ
３１  記憶部
３２  印字部
４０  ＣＰＵ
４１  記憶部
４２  入力部
４３  表示部
５０  ＣＰＵ
５１  記憶部
５２  入力部
５３  表示部
７０  ＣＰＵ
７１  記憶部
７２  入力部
７３  表示部
７５，７５ａ，７５ｂ  ジョブ実行部
１００  参照制限領域設定画面
１１０  プレビューイメージ
１２０  ツールバー
１２１  塗りつぶしボタン
１２２  ぼかしボタン
１２３  テキスト削除ボタン
１３０  参照制限領域
１３１  左上点
１３２  右下点
１４０  制限付き履歴画像
１４１  参照制限領域
２００  ジョブ生成手段
２０１  参照制限領域設定手段
２０２  付随情報付加手段
２０３  ジョブ送信手段
２０４  履歴画像作成手段
２０５  履歴画像送信手段
２１０  アプリケーション
２１１  プリンタドライバ
３００  ジョブ受信手段
３０１  印字出力用イメージ作成手段
３０２  履歴画像作成手段
３０３  履歴画像送信手段
３１０  プリンタ制御プログラム
４００  履歴画像送受信手段
４０１  ＩＤ付加手段
４０２  履歴画像格納手段
４０３  マスク処理手段
４１０  サーバ制御プログラム
４１１  管理者ＩＤリスト
４１２  履歴画像ファイル
４１２ａ  マスク無履歴画像
４１２ｂ  マスク有履歴画像
７００  ジョブ生成手段
７０１  参照制限領域設定手段
７０２  付随情報付加手段
７０３  印字出力用イメージ作成手段
７０４  履歴画像作成手段
７０５  ＩＤ付加手段
７０６  履歴画像格納手段
７０７  マスク処理手段
７０８  参照用画像送信手段
７１０  プリンタドライバ
【図１】
2008124721.tif 000003
【図２】
2008124721.tif 000004
【図３】
2008124721.tif 000005
【図４】
2008124721.tif 000006
【図５】
2008124721.tif 000007
【図６】
2008124721.tif 000008
【図７】
2008124721.tif 000009
【図８】
2008124721.tif 000010
【図９】
2008124721.tif 000011